(57)【要約】【課題】  土台の所定位置からずらして引掛け片を引掛けて取付けなければならないような場合に、床パンに垂設したアジャスターボルトを載置して床パンを所定位置に配置することができる。【解決手段】  浴室用吊り架台は、支持バー１の両端部にそれぞれ土台２又は梁の上面に引掛けて取付けるための引掛け片３を設けて構成してある。支持バー１に、床パン４の下端部に垂設したアジャスターボルト５の下端部を載置するための受け部６を設ける。そして、本発明の特徴とするところは、平面視で支持バー１の長手方向と直交する方向における上記受け部６の幅を、アジャスターボルト５の下端部の幅及び引掛け片３の幅よりも幅広としてある。【選択図】        図１
2010196333.tif 000002
【特許請求の範囲】
【請求項１】
支持バーの両端部にそれぞれ土台又は梁の上面に引掛けて取付けるための引掛け片を設け、床パンの下端部に垂設したアジャスターボルトの下端部を載置するための受け部を支持バーに設け、平面視で支持バーの長手方向と直交する方向における上記受け部の幅を、アジャスターボルトの下端部の幅及び引掛け片の幅よりも幅広として成ることを特徴とする浴室用吊り架台。
【請求項２】
支持バーの両端部にそれぞれ土台又は梁の上面に引掛けて取付けるための引掛け片を設け、床パンの下端部に垂設したアジャスターボルトの下端部を載置するための受け部を支持バーに設け、平面視で支持バーの長手方向と直交する方向における上記受け部の幅の中心と、引掛け片の幅の中心とを支持バーの長手方向と直交する方向にずらして成ることを特徴とする浴室用吊り架台。
【発明の詳細な説明】
【技術分野】
【０００１】
本発明は、建物の大引間に架け渡して洗い場床パンや浴槽用床パンを載設支持するための浴室用吊り架台に関するものである。
【背景技術】
【０００２】
従来から、建物の大引間に架け渡して浴室の床パンを載設支持するようにした浴室用吊り架台が特許文献１により知られている。
【０００３】
上記浴室用吊り架台は、支持バーの両端部にそれぞれ土台又は梁の上面に引掛けて取付けるための引掛け片を設けて構成してあり、両端部の引掛け片を、それぞれ対向する土台の上面の所定位置に引掛けて取付け、床パンの下面部の所定位置に垂設したアジャスターボルトの下端部を支持バー上に載置することで、床パンを支持するようになっていた。そして、アジャスターボルトの高さ調整をすることで、床パンの高さ調整を行うようになっていた。
【０００４】
アジャスターボルトは床パンの下面部の所定位置に垂設してあるので、床パンを設計上の所定位置に配置するには、浴室用吊り架台の土台に対する架設位置（つまり引掛け片の土台の上面に対する引掛け取付け位置）が平面視で支持バーの長手方向と直交する方向において一義的に決まっている。
【０００５】
しかしながら、現場においては土台上面の本来引掛け片を引掛けなければならない位置に間柱などの障害物が存在する場合がある。このような場合は、土台の所定位置に引掛け片を引掛けて取付けることができず、したがって床パンを設計上の所定位置に配置することができないという問題がある。
【０００６】
そこで、現場においては土台上面の本来引掛け片を引掛けなければならない位置に間柱などの障害物が存在して浴室用吊り架台が本来の位置よりもずれて架設された場合であっても、浴室用吊り架台に載置して床パンを設計上の所定位置に配置することができるようにするものとして、図７に示すような脚２０を床パン４に垂設したものが知られている。
【０００７】
この図７に示す従来例においては、平面視で、脚２０の下端面部の浴室用吊り架台の支持バーの長手方向と直交する方向の横幅が、支持バーの長手方向と直交する方向の横幅よりも広く形成してあり、現場において間柱などの障害物があって、浴室用吊り架台が本来の位置よりもずれて架設された場合であっても、横幅の広い脚２０の下端面部の幅方向の一部を支持バー上に載置して、床パンを設計上の所定位置に配置することができるようにしてある。
【０００８】
しかしながら、この従来例にあっては、幅の広い脚２０は高さ調整機能を有していないため、床パン４の高さ調整をするには、土台の上面と引掛け片との間に高さ調整用のスペーサ部材を介在させたり、あるいは、脚２０の下端面部と支持バーの上面との間に高さ調整用のスペーサ部材を介在させることで、高さ調整を行う必要があった。具体的には、介在するスペーサの枚数を調整したり、厚みの異なるスペーサ部材を使い分けて高さ調整を行う必要がある。
【０００９】
このように、上記の従来例においては、床パン４の脚２０自体に高さ調整機能がないので、別途スペーサ部材が必要であり、また、別体のスペーサ部材を介在して高さ調整を行うので、高さ調整作業が面倒となり、また、床パン４の脚２０自体に高さ調整機能がないので、スラブ上に直接載置するというような施工をする場合も、別途スペーサ部材を用意しなければならないという問題があった。
【先行技術文献】
【特許文献】
【００１０】
【特許文献１】特開２００４−１７６３２６号公報
【発明の概要】
【発明が解決しようとする課題】
【００１１】
本発明は上記の従来の問題点に鑑みて発明したもので、土台の所定位置からずらして引掛け片を引掛けて取付けなければならないような場合に、床パンに垂設したアジャスターボルトを載置して床パンを所定位置に配置することができる浴室用吊り架台を提供することを課題としている。
【課題を解決するための手段】
【００１２】
上記課題を解決するために、本発明は、以下のような構成となっている。
【００１３】
本発明の浴室用吊り架台は、支持バー１の両端部にそれぞれ土台２又は梁の上面に引掛けて取付けるための引掛け片３を設けて構成してある。支持バー１に、床パン４の下端部に垂設したアジャスターボルト５の下端部を載置するための受け部６を設ける。そして、本発明の特徴とするところは、平面視で支持バー１の長手方向と直交する方向における上記受け部６の幅を、アジャスターボルト５の下端部の幅及び引掛け片３の幅よりも幅広として成ることである。
【００１４】
このように平面視で支持バー１の長手方向と直交する方向における受け部６の幅を、アジャスターボルト５の下端部の幅及び引掛け片３の幅よりも幅広してあるので、土台２又は梁の所定位置からずらして引掛け片３を引掛けて取付けなければならないような場合でも、床パン４に垂設したアジャスターボルト５を幅広の受け部６の幅方向の中心からずれた位置において載置して床パン４を所定位置に配置することができる。
【００１５】
また、浴室用吊り架台は、支持バー１の両端部にそれぞれ土台２又は梁の上面に引掛けて取付けるための引掛け片３を設け、床パン４の下端部に垂設したアジャスターボルト５の下端部を載置するための受け部６を支持バー１に設け、平面視で支持バー１の長手方向と直交する方向における上記受け部６の幅の中心と、引掛け片３の幅の中心とを支持バー１の長手方向と直交する方向にずらして成ることを特徴とするものであってもよい。
【００１６】
このように平面視で支持バー１の長手方向と直交する方向における上記受け部６の幅の中心と、引掛け片３の幅の中心とを支持バー１の長手方向と直交する方向にずらしてあるので、土台２又は梁の所定位置からずらして引掛け片３を引掛けて取付けなければならないような場合でも、床パン４に垂設したアジャスターボルト５を受け部６の中心に載置して床パン４を所定位置に配置することができる。ここで、土台２又は梁に対して引掛け片３をずらして引っ掛ける方向が上記と逆の場合は、平面視で浴室用吊り架台７を１８０度回転して土台２又は梁間に架設することで、床パン４に垂設したアジャスターボルト５を受け部６の中心に載置して床パン４を所定位置に配置することができる。
【発明の効果】
【００１７】
本発明は、上記のように、土台又は梁の所定位置からずらして引掛け片を引掛けて取付けなければならないような場合でも、床パンに垂設したアジャスターボルトを受け部に載置して床パンを所定位置に配置することができる。また、アジャスターボルトを載置できるので、浴室用吊り架台側に高さ調整機能を必要としたり、あるいは、高さ調整用の別部材のスペーサ部材を必要としない。
【図面の簡単な説明】
【００１８】
【図１】本発明の一実施形態の浴室用吊り架台の斜視図である。
【図２】（ａ）は同上の浴室用吊り架台の施工例を示す平面図であり、（ｂ）は浴室用吊り架台に床パンを配設した状態の概略平面図である。
【図３】同上の断面図である。
【図４】本発明の他の実施形態の浴室用吊り架台の斜視図である。
【図５】（ａ）は同上の浴室用吊り架台の施工例を示す平面図であり、（ｂ）は浴室用吊り架台に床パンを配設した状態の概略平面図である。
【図６】（ａ）は同上の浴室用吊り架台の他の施工例を示す平面図であり、（ｂ）は浴室用吊り架台に床パンを配設した状態の概略平面図である。
【図７】従来の床パンに脚を垂設した例の斜視図である。
【発明を実施するための形態】
【００１９】
以下、本発明を添付図面に示す実施形態に基いて説明する。
【００２０】
図１には本発明の浴室用吊り架台７の一実施形態が示してある。浴室用吊り架台７は支持バー１の長手方向の両端部に吊り下げ部８を設けて構成してある。
【００２１】
吊り下げ部８は支持バー１の両端部から上方に突出する立ち上がり片９と、該立ち上がり片９の上端部から支持バー１と反対方向に水平に突出する引掛け片３とからなるもので、添付図面に示す実施形態においては、立ち上がり片９の少なくとも中間部又は上部は斜め外上方に向けて傾斜している。
【００２２】
支持バー１の上面部には長手方向の複数個所（添付図面に示す実施形態では２箇所）に、床パン４の下端部に垂設したアジャスターボルト５の下端部を載置するための受け部６が設けてある。
【００２３】
本実施形態では受け部６は、平面視で支持バー１の長手方向に対して直交する方向の幅Ｍ１が引掛け片３の支持バー１の長手方向に対して直交する方向の幅Ｍ２より長く設定してある。しかも、受け部６の平面視で支持バー１の長手方向に対して直交する方向の幅Ｍ１は支持バー１の支持バー１の長手方向に対して直交する方向の幅よりも長く、且つ、受け部６の平面視で支持バー１の長手方向に対して直交する方向の両端部が支持バー１の長手方向に対して直交する方向の両端部よりも外方向に突出している。受け部６はコ字状をしていて、受け部６の平面視で支持バー１の長手方向に対して直交する方向の両端部が上方に突出した上向き突片１０を設けてある。図１の実施形態では引掛け片３の支持バー１の長手方向に対して直交する方向の幅Ｍ２は、支持バー１の長手方向に対して直交する方向の幅と等しくなっている。
【００２４】
上記の構成の支持バー１は図２（ａ）に示すように、建物の浴室を形成する箇所の周囲に対向して配設された土台２又は梁間に配置し、両端部の引掛け片３をそれぞれ土台２又は梁の上面に引掛け、引掛け片３を釘やねじで土台２又は梁に固着することで取付ける。
【００２５】
ここで、上記のように支持バー１を土台２又は梁間に架設するに当たり、架設位置、つまり引掛け片３の取付位置は、設計上決められている床パン４下面のアジャスターボルト５の位置に受け部６が位置するように引掛け片３の取付け位置が決められる。
【００２６】
このようにして土台２又は梁間に支持バー１を架設した後、図２（ｂ）、図３に示すように、支持バー１の受け部６の幅方向の中心に床パン４の下面に垂設した高さ調整機能を有するアジャスターボルト５を載設して浴室の床を形成するものであり、この際、アジャスターボルト５を操作して高さ調整することで、床パン４の高さ調整をする。
【００２７】
その後、床パン４の外端部に壁パネル（図示せず）、出入り口枠（図示せず）を立設して浴室の壁を形成し、更に、その後、壁パネル、出入り口枠の上端に天井パネルの端部を掛け渡して取付けることで、浴室の天井を形成する。
【００２８】
上記のようにして浴室を組み立て形成するのであるが、支持バー１を土台２又は梁間に架設する際、現場によっては、土台２又は梁の上面の本来引掛け片３を位置させなければならない所定位置に、図２のように間柱１１などの障害物が存在している場合があり、この場合は、本来の引掛け片３の取付け位置から間柱１１などの障害物を除けて、本来の取付け位置からずらして取付ける。
【００２９】
しかしながら本実施形態においては、平面視で支持バー１の長手方向と直交する方向における受け部６の幅を、アジャスターボルト５の下端部の幅及び引掛け片３の幅よりも幅広にしてあるので、床パン４に垂設したアジャスターボルト５を幅広の受け部６の幅方向の中心からずれた位置において載置して床パン４を所定位置に配置することができる。
【００３０】
なお図中１２は建物躯体の柱である。
【００３１】
次に、図４に基づいて本発明の浴室用吊り架台７の他の実施形態を説明する。
【００３２】
本実施形態の浴室用吊り架台７は、受け部６の形態が異なる以外は前述の実施形態と同様であるので、異なる点について説明し、重複する構成の説明は省略する。
【００３３】
本実施形態においては、支持バー１の上面部には長手方向の複数個所（添付図面に示す実施形態では２箇所）に、床パン４の下端部に垂設したアジャスターボルト５の下端部を載置するための受け部６が設けてある。
【００３４】
本実施形態では受け部６は、平面視で支持バー１の長手方向と直交する方向における受け部６の幅の中心と、引掛け片３の幅の中心とを支持バー１の長手方向と直交する方向にずらしてある。しかも、受け部６は、平面視で支持バー１の長手方向に対して直交する方向において、片側が支持バー１の上に載設固着され且つ他の片側が支持バー１の長手方向に対して直交する方向の側端部よりも外方向に突出している。この受け部６はコ字状をしていて、受け部６の平面視で支持バー１の長手方向に対して直交する方向の両端部が上方に突出した上向き突片１０を設けてある。
【００３５】
本実施形態の浴室用吊り架台７は、図５（ａ）のように間柱１１などの障害物が存在している場合に使用するもので、該間柱１１などの障害物に隣接して土台２又は梁上面に引掛け片３を引掛け載置して固着する。本実施形態においては、平面視で支持バー１の長手方向と直交する方向における上記受け部６の幅の中心と、引掛け片３の幅の中心とを支持バー１の長手方向と直交する方向にずらしてあるので、上記のように間柱１１などの障害物が存在しているため、所定位置からずらして引掛け片３を引掛けて取付けた場合、図５（ｂ）のように床パン４に垂設したアジャスターボルト５を受け部６の中心に載置して床パン４を所定位置に配置することができる。
【００３６】
また、図６（ａ）のように間柱１１などの障害物があるため土台２又は梁に対する引掛け片３の引掛け載置する位置が上記と逆の場合は、平面視で浴室用吊り架台７を１８０度回転して間柱１１などの障害物に隣接して土台２又は梁間に架設することで、上記と同様に床パン４に垂設したアジャスターボルト５を図６（ａ）のように受け部６の中心に載置して床パン４を所定位置に配置することができる。
【００３７】
また、図５、図６に示すように、間柱１１などの障害物がない箇所においては、従来から使用している通常の浴室用吊り架台７Ａを、土台２又は梁間の所定位置に配置して土台２又は梁の上面の所定位置に通常の浴室用吊り架台７Ａの引掛け片３Ａを引掛け載置して固着する。ここで、通常の浴室用吊り架台７Ａにおいては、引掛け片３Ａと受け部６Ａとは平面視で支持バー１Ａの長手方向と直交する方向の幅が同じであるため、床パン４に垂設したアジャスターボルト５を受け部６Ａの中心に載置して床パン４を所定位置に配置することができる。
【００３８】
なお、図２に示す実施形態においても、間柱１１などの障害物がない箇所においては、従来から使用している通常の浴室用吊り架台７Ａを、土台２又は梁間の所定位置に配置して土台２又は梁の上面の所定位置に通常の浴室用吊り架台７Ａの引掛け片３Ａを引掛け載置して固着してもよい。
【符号の説明】
【００３９】
１  支持バー
２  土台
３  引掛け片
４  床パン
５  アジャスターボルト
６  受け部
７  浴室用吊り架台
【図１】
2010196333.tif 000003
【図２】
2010196333.tif 000004
【図３】
2010196333.tif 000005
【図４】
2010196333.tif 000006
【図５】
2010196333.tif 000007
【図６】
2010196333.tif 000008
【図７】
2010196333.tif 000009